(57)【要約】【課題】複数のチャンネル（ＣＨ）の視聴／録画と、複数の受信処理の同時実行とが可能であり、利用者が所望の番組を視聴（録画）すること。【解決手段】契約管理部２−１を使用して、無料ＣＨ“ＣＨ４”の“番組Ｃ”の視聴が行なわれるとき、受信ユニット１０−１は、それに対応する契約管理部２−１を用いて、無料ＣＨ“ＣＨ４”の“番組Ｃ”を受信する。契約管理部２−１に割り当てられた有料ＣＨ“ＣＨ１”の“番組Ｄ”の視聴を開始する場合、使用可能な契約管理部２−２が受信ユニット１０−１に対応付けられ、使用可能な受信ユニット１０−２に契約管理部２−１が対応付けられる。受信ユニット１０−１は、契約管理部２−２を用いて、無料ＣＨ“ＣＨ４”の“番組Ｃ”を受信し、受信ユニット１０−２は、契約管理部２−１を用いて、有料ＣＨ“ＣＨ１”の“番組Ｄ”を受信する。【選択図】図４
2007266909.tif 000002
【特許請求の範囲】
【請求項１】
複数の契約管理部と、
複数の受信ユニットと、
前記複数の契約管理部をそれぞれ前記複数の受信ユニットに対応付ける割当制御部と、
出力装置と
を具備し、
前記複数の契約管理部のうちの、無料チャンネルと第１有料チャンネルとが割り当てられた第１契約管理部を使用して、前記無料チャンネルの放送番組の視聴又は録画が行なわれるとき、
前記割当制御部は、前記第１契約管理部を用いて、前記無料チャンネルの放送番組を受信して前記出力装置に出力するように、前記複数の受信ユニットのうちの、前記第１契約管理部に対応する第１受信ユニットを制御し、
前記第１有料チャンネルの放送番組の視聴又は録画を開始する場合、
前記割当制御部は、
前記複数の契約管理部のうちの、使用可能な契約管理部である第２契約管理部を前記第１受信ユニットに対応付け、前記複数の受信ユニットのうちの、使用可能な受信ユニットである第２受信ユニットに前記第１契約管理部を対応付け、
前記第２契約管理部を用いて、前記無料チャンネルの放送番組を受信して前記出力装置に出力するように、前記第１受信ユニットを制御し、
前記第１契約管理部を用いて、前記第１有料チャンネルの放送番組を受信して前記出力装置に出力するように、前記第２受信ユニットを制御する
デジタル放送受信機。
【請求項２】
請求項１に記載のデジタル放送受信機において、
前記複数の受信ユニットのそれぞれに設けられる複数の読取制御部
を更に具備し、
前記複数の受信ユニットの各々は、受信部と、ストリーム処理部と、復号部とを備え、
前記複数の契約管理部には、それぞれ、自己を識別する個別番号と、暗号化された放送番組を復号するための番組鍵情報を生成する鍵情報とが格納され、
前記第１契約管理部を使用して、前記無料チャンネルの放送番組の視聴又は録画が行なわれるとき、前記割当制御部は、前記第１受信ユニットを制御し、
前記第１受信ユニットの受信部は、第１放送波を受信し、
前記第１放送波は、暗号化された前記無料チャンネルの放送番組と、前記暗号化された無料チャンネルの放送番組を復号するための無料番組鍵情報を有するＥＣＭ（番組制御情報）と、複数の照合用個別番号を有するＥＭＭ（個別情報）とを含み、
前記第１受信ユニットのストリーム処理部は、前記第１放送波に含まれる前記ＥＣＭと前記ＥＭＭとを読み出し、
前記複数の読取制御部のうちの、前記第１受信ユニットに対応する第１読取制御部は、前記第１放送波に含まれる前記ＥＭＭの前記複数の照合用個別番号のうちの１つと、前記第１契約管理部に格納された第１個別番号とが一致する場合、前記第１放送波に含まれる前記ＥＭＭを前記第１契約管理部に入力することにより、前記第１契約管理部に格納された鍵情報を更新し、前記第１放送波に含まれる前記ＥＣＭの前記無料番組鍵情報を前記第１契約管理部に入力することにより、前記第１契約管理部に格納された鍵情報に基づいて生成された第１番組鍵情報を前記第１契約管理部から読み出し、
前記第１受信ユニットの復号部は、前記第１番組鍵情報に従って、前記第１放送波に含まれる前記暗号化された無料チャンネルの放送番組を復号し、
前記第１受信ユニットのストリーム処理部は、前記第１受信ユニットの復号部により復号された前記無料チャンネルの放送番組を前記出力装置に出力し、
前記第１有料チャンネルの放送番組の視聴又は録画が開始する場合、
前記割当制御部は、前記第２契約管理部を前記第１受信ユニットに対応付け、前記第１契約管理部を前記第２受信ユニットに対応付け、前記第１受信ユニットと前記第２受信ユニットとを制御し、
前記第１、第２受信ユニットの受信部は、それぞれ、前記第１放送波、第２放送波を受信し、
前記第２放送波は、暗号化された前記第１有料チャンネルの放送番組と、前記暗号化された第１有料チャンネルの放送番組を復号するための有料番組鍵情報を有するＥＣＭと、前記複数の照合用個別番号を有する前記ＥＭＭとを含み、
前記第１、第２受信ユニットのストリーム処理部は、それぞれ、前記第１、第２放送波に含まれる前記ＥＣＭと前記ＥＭＭとを読み出し、
前記第１、第２読取制御部は、それぞれ、前記第１、第２放送波に含まれる前記ＥＭＭの前記複数の照合用個別番号のうちの１つと、前記第２、第１契約管理部に格納された第２、第１個別番号とが一致する場合、それぞれ、前記第１、第２放送波に含まれる前記ＥＭＭを前記第２、第１契約管理部に入力することにより、前記第２、第１契約管理部に格納された鍵情報を更新し、前記第１、第２放送波に含まれる前記ＥＣＭの前記無料番組鍵情報、前記有料番組鍵情報を前記第２、第１契約管理部に入力することにより、前記第２、第１契約管理部に格納された鍵情報に基づいて生成された前記第１番組鍵情報、第２番組鍵情報を前記第２、第１契約管理部から読み出し、
前記第１、第２受信ユニットの復号部は、それぞれ、前記第１、第２番組鍵情報に従って、前記第１、第２放送波に含まれる前記暗号化された無料チャンネルの放送番組、前記暗号化された第１有料チャンネルの放送番組を復号し、
前記第１、第２受信ユニットのストリーム処理部は、それぞれ、前記第１、第２受信ユニットの復号部により復号された前記無料チャンネルの放送番組、第１有料チャンネルの放送番組を前記出力装置に出力する
デジタル放送受信機。
【請求項３】
請求項２に記載のデジタル放送受信機において、
前記複数の契約管理部をそれぞれ識別する前記複数の個別番号と、前記複数の契約管理部にそれぞれ割り当てられた前記複数の有料チャンネルを表す契約情報と、現在使用されているチャンネルを表す使用中チャンネル情報とが格納された契約管理テーブルと、
前記複数の受信ユニットをそれぞれ識別する複数の識別子と、前記複数の受信ユニットのうちの、現在使用されている使用中受信ユニットを表す使用中受信ユニット情報と、前記複数の契約管理部のうちの、現在使用されている契約管理部を識別する個別番号とが格納された受信ユニット管理テーブルと
を更に具備し、
前記割当制御部は、前記受信ユニット管理テーブルと前記契約管理テーブルとを参照して、前記複数の契約管理部をそれぞれ前記複数の受信ユニットに対応付ける
デジタル放送受信機。
【請求項４】
請求項３に記載のデジタル放送受信機において、
前記第１契約管理部を使用して前記無料チャンネルの放送番組の視聴又は録画が行なわれるとき、
前記割当制御部は、
前記第１契約管理部を識別する前記第１個別番号に対応付けて、前記使用中チャンネル情報として前記無料チャンネルを前記契約管理テーブルに格納し、
前記第１受信ユニットを識別する第１識別子に対応付けて、前記使用中受信ユニット情報と、前記第１個別番号とを前記受信ユニット管理テーブルに格納する
デジタル放送受信機。
【請求項５】
請求項４に記載のデジタル放送受信機において、
前記第１有料チャンネルの放送番組の視聴又は録画が開始する場合、
前記割当制御部は、
前記受信ユニット管理テーブルを参照して、前記複数の受信ユニットの中から、使用可能な受信ユニットとして前記第２受信ユニットを選択し、
前記契約管理テーブルを参照して、前記複数の契約管理部の中から、使用可能な契約管理部として前記第２契約管理部を選択し、
前記第１契約管理部を識別する前記第１個別番号に対応付けて、前記使用中チャンネル情報として前記第１有料チャンネルを前記契約管理テーブルに格納し、
前記第２契約管理部を識別する前記第２個別番号に対応付けて、前記使用中チャンネル情報として前記無料チャンネルを前記契約管理テーブルに格納し、
前記第１受信ユニットを識別する前記第１識別子と、前記使用中受信ユニット情報とに対応付けて、前記第２個別番号を前記受信ユニット管理テーブルに格納し、
前記第２受信ユニットを識別する第２識別子に対応付けて、前記使用中受信ユニット情報と、前記第１個別番号とを前記受信ユニット管理テーブルに格納する
デジタル放送受信機。
【請求項６】
請求項１〜５のいずれかに記載のデジタル放送受信機において、
前記複数の契約管理部の各々は、ＩＣカードである
デジタル放送受信機。
【請求項７】
請求項１〜６のいずれかに記載のデジタル放送受信機において、
前記デジタル放送受信機に対して取り外し可能な複数のボード
を更に具備し、
前記複数のボードは、それぞれ、前記複数の受信ユニットと、前記複数の契約管理部とが搭載されている
デジタル放送受信機。
【請求項８】
請求項２〜６のいずれかに記載のデジタル放送受信機において、
前記デジタル放送受信機に対して取り外し可能な複数のボード
を更に具備し、
前記複数のボードは、それぞれ、前記複数の読取制御部と、前記複数の受信ユニットと、前記複数の契約管理部とが搭載されている
デジタル放送受信機。
【請求項９】
請求項１〜８のいずれかに記載のデジタル放送受信機において、
前記出力装置は、蓄積装置と、デコード部とを含み、
前記割当制御部は、視聴を表す視聴指示を前記第１受信ユニットに出力し、録画を表す蓄積指示を前記第２受信ユニットに出力し、
前記第１受信ユニットは、前記視聴指示に応じて、前記無料チャンネルの放送番組を前記デコード部に出力し、
前記デコード部は、前記無料チャンネルの放送番組をデコードして、映像表示装置に表示し、
前記第２受信ユニットは、前記蓄積指示に応じて、前記第１有料チャンネルの放送番組を前記蓄積装置に蓄積する
デジタル放送受信機。
【請求項１０】
請求項１〜８のいずれかに記載のデジタル放送受信機において、
前記出力装置は、蓄積装置と、デコード部とを含み、
前記割当制御部は、視聴を表す視聴指示を前記第２受信ユニットに出力し、録画を表す蓄積指示を前記第１受信ユニットに出力し、
前記第１受信ユニットは、前記蓄積指示に応じて、前記無料チャンネルの放送番組を前記蓄積装置に蓄積し、
前記第２受信ユニットは、前記視聴指示に応じて、前記第１有料チャンネルの放送番組を前記デコード部に出力し、
前記デコード部は、前記第１有料チャンネルの放送番組をデコードして、映像表示装置に表示する
デジタル放送受信機。
【請求項１１】
請求項１〜８のいずれかに記載のデジタル放送受信機において、
前記出力装置は、蓄積装置を含み、
前記割当制御部は、録画を表す第１蓄積指示、第２蓄積指示をそれぞれ前記第１受信ユニット、前記第２受信ユニットに出力し、
前記第１受信ユニットは、前記第１蓄積指示に応じて、前記無料チャンネルの放送番組を前記蓄積装置に蓄積し、
前記第２受信ユニットは、前記第２蓄積指示に応じて、前記第１有料チャンネルの放送番組を前記蓄積装置に蓄積する
デジタル放送受信機。
【請求項１２】
請求項９又は１０に記載のデジタル放送受信機と、
前記デジタル放送受信機によりデコードされた放送番組を表示する映像表示装置と
を具備するテレビ。
【請求項１３】
複数の契約管理部と、複数の受信ユニットと、制御部と、出力装置とを具備するデジタル放送受信機に適用され、前記制御部が前記複数の受信ユニットを制御する制御方法であって、
前記複数の契約管理部をそれぞれ前記複数の受信ユニットに対応付けるステップと、
前記複数の契約管理部のうちの、無料チャンネルと第１有料チャンネルとが割り当てられた第１契約管理部を使用して、前記無料チャンネルの放送番組の視聴又は録画が行なわれるとき、
前記第１契約管理部を用いて、前記無料チャンネルの放送番組を受信して前記出力装置に出力するように、前記複数の受信ユニットのうちの、前記第１契約管理部に対応する第１受信ユニットを制御するステップと、
前記第１有料チャンネルの放送番組の視聴又は録画が開始する場合、
前記複数の契約管理部のうちの第２契約管理部を前記第１受信ユニットに対応付け、前記第１契約管理部を前記複数の受信ユニットのうちの第２受信ユニットに対応付けるステップと、
前記第２契約管理部を用いて、前記無料チャンネルの放送番組を受信して前記出力装置に出力するように、前記第１受信ユニットを制御するステップと、
前記第１契約管理部を用いて、前記第１有料チャンネルの放送番組を受信して前記出力装置に出力するように、前記第２受信ユニットを制御するステップと
を具備するデジタル放送受信機の制御方法。
【発明の詳細な説明】
【技術分野】
【０００１】
本発明は、デジタル放送の放送番組を受信するデジタル放送受信機に関する。
【背景技術】
【０００２】
ＣＳ及びＢＳにおけるデジタル放送のサービスが提供されている。このサービスでは、無料の放送番組が放送される無料チャンネルと、有料の放送番組が放送される有料チャンネルとを有している。利用者は、上記の放送番組を受信するデジタル放送受信機を用いることにより、無料チャンネルにより無料の放送番組を視聴又は録画することができる。加えて、上記サービスに契約することで、有料チャンネルにより有料の放送番組を視聴又は録画したりすることができる。例えば、ＢＳにおけるデジタル放送では、デジタル放送受信機が有料チャンネルを限定的に受信するためのＣｏｎｄｉｔｉｏｎａｌ  Ａｃｃｅｓｓ  Ｓｙｓｔｅｍ（以下、ＣＡＳ）として、Ｂ−ＣＡＳが一般的に知られている。
【０００３】
図１は、一般的なデジタル放送受信機が適用されるテレビの構成を示している。テレビは、第１従来例によるデジタル放送受信機１０１と、映像表示装置１３３とを具備している。そのデジタル放送受信機１０１は、ＩＣカード１０２と、受信ユニット１１０と、制御部１２０と、出力装置１３０とを具備している。ＩＣカード１０２と受信ユニット１１０と制御部１２０と出力装置１３０はバスに接続されている。
【０００４】
ＩＣカード１０２は、利用者がデジタル放送機器を購入した際に添付される。
受信ユニット１１０は、受信部であるチューナ部１１１と、ストリーム処理部１１２と、復号部１１３とを具備している。チューナ部１１１は、アンテナに接続されている。
出力装置１３０は、蓄積装置１３１、デコード部１３２を含み、デコード部１３２は映像表示装置１３３に接続されている。映像表示装置１３３は、デジタル放送受信機１０１に取り付けられ、蓄積装置１３１、デコード部１３２は、デジタル放送受信機１０１に内蔵されている。
【０００５】
ＩＣカード１０２には、契約情報と、自己を識別する個別番号１０２’とが格納されている。この契約情報は、暗号化された放送番組を復号するための番組鍵情報を生成する鍵情報を含んでいる。
ここで、説明を簡略化するために、放送される１番目からｎ番目（ｎは２以上の整数）までのｎ個のチャンネル“ＣＨ１〜ＣＨｎ”のうちの、奇数番目のチャンネル“ＣＨ１、ＣＨ３、…、ＣＨ（ｎ−１）”を有料チャンネル群と称し、偶数番目のチャンネル“ＣＨ２、ＣＨ４、…、ＣＨｎ”を無料チャンネル群と称する。
なお、ｎが偶数である場合、有料チャンネル群を“ＣＨ１、ＣＨ３、…、ＣＨ（ｎ−１）”とし、無料チャンネル群を“ＣＨ２、ＣＨ４、…、ＣＨｎ”としているが、ｎが奇数である場合、有料チャンネル群を“ＣＨ１、ＣＨ３、…、ＣＨｎ”とし、無料チャンネル群を“ＣＨ２、ＣＨ４、…、ＣＨ（ｎ−１）”として読み替えればよい。この例では、上記のようにｎを偶数とする。
【０００６】
利用者は、ＩＣカード１０２を使用して、ｎ個のチャンネル“ＣＨ１〜ＣＨｎ”の各々の放送番組を視聴又は録画することができる。
【０００７】
例えば、ＩＣカード１０２を使用して、無料チャンネル群“ＣＨ２、ＣＨ４、…、ＣＨｎ”のうちの無料チャンネル“ＣＨ２”の放送番組の視聴又は録画が行なわれる。この場合、チューナ部１１１は、放送波を受信し、ストリーム処理部１１２に出力する。この放送波は、暗号化された無料チャンネル“ＣＨ２”の放送番組と、暗号化された無料チャンネル“ＣＨ２”の放送番組を復号するための無料番組鍵情報を有するＥＣＭ（番組制御情報）と、複数の照合用個別番号を有するＥＭＭ（個別情報）とを含んでいる。ストリーム処理部１１２は、上記の放送波に含まれるＥＣＭとＥＭＭとを読み出し、制御部１２０に出力する。制御部１２０は、上記の放送波に含まれるＥＭＭの複数の照合用個別番号のうちの１つと、ＩＣカード１０２に格納された個別番号１０２’とが一致するか否かを照合する。制御部１２０は、照合結果が一致を表すとき、上記のＥＭＭをＩＣカード１０２に入力することにより、ＩＣカード１０２内の契約情報は書き換えられる。このとき、ＩＣカード１０２に格納された鍵情報が更新される。次に、制御部１２０は、上記の放送波に含まれるＥＣＭの無料番組鍵情報をＩＣカード１０２に入力することにより、ＩＣカード１０２に格納された鍵情報に基づいて生成された番組鍵情報をＩＣカード１０２から読み出し、その番組鍵情報を復号部１１３に出力する。同時に、ストリーム処理部１１２は、放送波に含まれる暗号化された無料チャンネル“ＣＨ２”の放送番組を復号部１１３に出力する。復号部１１３は、その番組鍵情報に従って、放送波に含まれる暗号化された無料チャンネル“ＣＨ２”の放送番組を復号し、ストリーム処理部１１２に出力する。ストリーム処理部１１２は、復号部１１３により復号された無料チャンネル“ＣＨ２”の放送番組を出力装置１３０に出力する。
【０００８】
例えば、ＩＣカード１０２を使用して、有料チャンネル群“ＣＨ１、ＣＨ３、…、ＣＨ（ｎ−１）”のうちの有料チャンネル“ＣＨ１”の放送番組の視聴又は録画が行なわれる。この場合、チューナ部１１１は、放送波を受信し、ストリーム処理部１１２に出力する。この放送波は、暗号化された有料チャンネル“ＣＨ１”の放送番組と、暗号化された有料チャンネル“ＣＨ１”の放送番組を復号するための有料番組鍵情報を有するＥＣＭと、複数の照合用個別番号を有するＥＭＭとを含んでいる。ストリーム処理部１１２は、上記の放送波に含まれるＥＣＭとＥＭＭとを読み出し、制御部１２０に出力する。制御部１２０は、上記の放送波に含まれるＥＭＭの複数の照合用個別番号のうちの１つと、ＩＣカード１０２に格納された個別番号１０２’とが一致するか否かを照合する。制御部１２０は、照合結果が一致を表すとき、上記のＥＭＭをＩＣカード１０２に入力することにより、ＩＣカード１０２内の契約情報は書き換えられる。このとき、ＩＣカード１０２に格納された鍵情報が更新される。次に、制御部１２０は、上記の放送波に含まれるＥＣＭの有料番組鍵情報をＩＣカード１０２に入力することにより、ＩＣカード１０２に格納された鍵情報に基づいて生成された番組鍵情報をＩＣカード１０２から読み出し、その番組鍵情報を復号部１１３に出力する。同時に、ストリーム処理部１１２は、放送波に含まれる暗号化された有料チャンネル“ＣＨ１”の放送番組を復号部１１３に出力する。復号部１１３は、その番組鍵情報に従って、放送波に含まれる暗号化された有料チャンネル“ＣＨ１”の放送番組を復号し、ストリーム処理部１１２に出力する。ストリーム処理部１１２は、復号部１１３により復号された有料チャンネル“ＣＨ１”の放送番組を出力装置１３０に出力する。
【０００９】
無料チャンネル“ＣＨ２”又は有料チャンネル“ＣＨ１”の放送番組の視聴が行なわれる場合、制御部１２０は、視聴を表す視聴指示をストリーム処理部１１２に出力する。この場合、ストリーム処理部１１２は、視聴指示に応じて、上記の放送番組を出力装置１３０のデコード部１３２に出力する。デコード部１３２は、その放送番組をデコードして、映像表示装置１３３に表示する。
無料チャンネル“ＣＨ２”又は有料チャンネル“ＣＨ１”の放送番組の録画が行なわれる場合、制御部１２０は、録画を表す蓄積指示をストリーム処理部１１２に出力する。この場合、ストリーム処理部１１２は、蓄積指示に応じて、上記の放送番組を出力装置１３０の蓄積装置１３１に蓄積する。
【００１０】
ＩＣカード１０２には、利用者が上記サービスに契約したときに、その契約の期限を表す契約期限が更に格納される。この契約期限が近づいたときに、上記のＥＭＭにより契約情報を更新するＥＭＭ受信処理が行なわれる（特許文献１参照）。
【００１１】
第１従来例によるデジタル放送受信機１０１では、無料チャンネル“ＣＨ２”の放送番組の視聴又は録画が行なわれた場合、上記の受信ユニット１１０は、ＩＣカード１０２を用いて、無料チャンネル“ＣＨ２”の放送番組を受信して出力装置１３０に出力する。しかし、有料チャンネル“ＣＨ１”の放送番組の視聴又は録画が行なわれた場合でも、受信ユニット１１０は、ＩＣカード１０２を用いて、有料チャンネル“ＣＨ１”の放送番組を受信して出力装置１３０に出力する。このため、利用者は、ＩＣカード１０２を使用して、無料チャンネル“ＣＨ２”又は有料チャンネル“ＣＨ１”の放送番組を視聴／録画できるが、例えば、無料チャンネル“ＣＨ２”と有料チャンネル“ＣＨ１”との一方のチャンネルの放送番組を視聴し、他方のチャンネルの放送番組を録画することができない。
【００１２】
そこで、複数のチャンネル（例えば、無料チャンネル“ＣＨ２”、有料チャンネル“ＣＨ１”）を視聴／録画するために、第２従来例によるデジタル放送受信機１０１として、第１従来例に対して、上記の受信ユニット１１０を含む複数の受信ユニット１１０を更に具備する。これにより、複数の受信ユニット１１０のうちの第１、第２受信ユニット１１０は、それぞれ、ＩＣカード１０２を用いて、無料チャンネル“ＣＨ２”、有料チャンネル“ＣＨ１”の放送番組を受信して出力装置１３０に出力する。
【００１３】
しかし、第２従来例によるデジタル放送受信機１０１では、複数のチャンネル（例えば、無料チャンネル“ＣＨ２”、有料チャンネル“ＣＨ１”）の放送番組をそれぞれ受信するときの複数の放送番組受信処理を、１つのＩＣカード１０２で同時に処理することになる。特に、複数の放送番組受信処理では、ＥＣＭ、ＥＭＭの照合を１つのＩＣカード１０２で同時に処理することになる。複数の放送番組受信処理を実行するときの実行時間はゼロではないため、複数の放送番組受信処理を１つのＩＣカード１０２で同時に実行させることは困難である。
【００１４】
複数のチャンネルの放送番組の視聴／録画と、複数の放送番組受信処理の同時実行とが可能であり、利用者が所望の番組を視聴又は録画できることが望まれる。
【００１５】
上記の特許文献１を紹介する。
【００１６】
特許文献１にはデジタル放送受信機の通電制御処理システムが記載されている。
このデジタル放送受信機の通電制御処理システムは、複数のチューナを有するデジタル放送受信機において、一のチューナを使用して放送番組の視聴を行うとともに、放送との契約情報を記憶するＩＣカードからの通電制御指示により、前記ＩＣカードへのＥＭＭ受信処理を他のチューナを使用して実施し、前記他のチューナを使用して放送番組の視聴を行う場合には、前記ＥＭＭ受信処理を中断し、放送番組の前記視聴の終了後にＥＭＭ受信処理を中断前の状態から再開することを特徴としている。また、上記の通電制御処理システムは、複数の放送事業者からの指示を記録した前記ＩＣカードからの複数の通電制御指示があった場合には、各放送事業者に対応するＥＭＭ受信処理を複数の他のチューナを同時に使用して実施することを特徴としている。
デジタル放送受信機の通電制御処理システムは、複数のチューナを有するデジタル放送受信機において、複数の放送事業者からのＥＭＭ受信の指示が重複した場合、ユーザー操作による電源オフ後に、複数のチューナを使用して前記放送事業者別のそれぞれのＥＭＭ受信処理を同時に実施することを特徴としている。
これにより、ＩＣカードへの契約情報書き込みにおけるＥＭＭ受信のための通電制御処理について、消費電力の低減と通電制御の処理時間の短縮を図る。
【００１７】
【特許文献１】特許第３６９８６５４号公報
【発明の開示】
【発明が解決しようとする課題】
【００１８】
本発明の課題は、複数のチャンネルの放送番組の視聴／録画と、複数の放送番組受信処理の同時実行とが可能であり、利用者が所望の番組を視聴又は録画することができるデジタル放送受信機を提供することにある。
【課題を解決するための手段】
【００１９】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００２０】
本発明のデジタル放送受信機（１）は、複数の契約管理部（２−１〜２−ｎ）（ｎは２以上の整数）と、複数の受信ユニット（１０−１〜１０−ｎ）と、割当制御部（２２）と、出力装置（３０）とを具備している。
前記割当制御部（２２）は、前記複数の契約管理部（２−１〜２−ｎ）をそれぞれ前記複数の受信ユニット（１０−１〜１０−ｎ）に対応付ける。
前記複数の契約管理部（２−１〜２−ｎ）のうちの、無料チャンネルと第１有料チャンネル（“ＣＨ１”）とが割り当てられた第１契約管理部（２−１）を使用して、前記無料チャンネル（“ＣＨ４”）の放送番組（“番組Ｃ”）の視聴又は録画が行なわれる。
このとき、前記割当制御部（２２）は、前記第１契約管理部（２−１）を用いて、前記無料チャンネル（“ＣＨ４”）の放送番組（“番組Ｃ”）を受信して前記出力装置（３０）に出力するように、前記複数の受信ユニット（１０−１〜１０−ｎ）のうちの、前記第１契約管理部（２−１）に対応する第１受信ユニット（１０−１）を制御する。
前記第１有料チャンネル（“ＣＨ１”）の放送番組（“番組Ｄ”）の視聴又は録画を開始する。
この場合、前記割当制御部（２２）は、前記複数の契約管理部（２−１〜２−ｎ）のうちの、使用可能な契約管理部である第２契約管理部（２−２）を前記第１受信ユニット（１０−１）に対応付け、前記複数の受信ユニット（１０−１〜１０−ｎ）のうちの、使用可能な受信ユニットである第２受信ユニット（１０−２）に前記第１契約管理部（２−１）を対応付ける。
前記割当制御部（２２）は、前記第２契約管理部（２−２）を用いて、前記無料チャンネル（“ＣＨ４”）の放送番組（“番組Ｃ”）を受信して前記出力装置（３０）に出力するように、前記第１受信ユニット（１０−１）を制御する。
前記割当制御部（２２）は、前記第１契約管理部（２−１）を用いて、前記第１有料チャンネル（“ＣＨ１”）の放送番組（“番組Ｄ”）を受信して前記出力装置（３０）に出力するように、前記第２受信ユニット（１０−２）を制御する。
【００２１】
これにより、本発明のデジタル放送受信機（１）は、複数のチャンネルとして無料チャンネル“ＣＨ４”、有料チャンネル“ＣＨ１”の放送番組の視聴／録画と、その複数のチャンネルの放送番組をそれぞれ受信するときの複数の放送番組受信処理の同時実行とを可能にする。
更に、本発明のデジタル放送受信機（１）は、利用者が所望の番組を視聴又は録画することができる。特に、利用者が、有料チャンネル“ＣＨ１”が割り当てられた第１契約管理部（２−１）と、第１受信ユニット（１０−１）とを使用して、無料チャンネル“ＣＨ４”の放送番組“番組Ｃ”を視聴／録画している時間帯に、有料チャンネル“ＣＨ１”の放送番組“番組Ｄ”が開始する場合、割当制御部（２２）は、使用可能なＩＣカード（上記では第２契約管理部（２−２））を第１受信ユニット（１０−１）に対応付け、使用可能な受信ユニット（上記では第１受信ユニット（１０−２））に第１契約管理部（２−１）を対応付ける。このため、利用者は、同じ時間帯に、第１契約管理部（２−１）と第２受信ユニット（１０−２）とを使用して、有料チャンネル“ＣＨ１”の放送番組“番組Ｄ”を視聴／録画することができ、第２契約管理部（２−２）と第１受信ユニット（１０−１）とを使用して、無料チャンネル“ＣＨ４”の放送番組“番組Ｃ”を視聴／録画することができる。
【００２２】
本発明のデジタル放送受信機（１）は、更に、複数の読取制御部（２１−１〜２１−ｎ）を具備している。
前記複数の読取制御部（２１−１〜２１−ｎ）は、前記複数の受信ユニット（１０−１〜１０−ｎ）のそれぞれに設けられている。
前記複数の受信ユニット（１０−１〜１０−ｎ）の各々は、受信部（１１）と、ストリーム処理部（１２）と、復号部（１３）とを備えている。
前記複数の契約管理部（２−１〜２−ｎ）には、それぞれ、自己を識別する個別番号（２−１’〜２−ｎ’）と、暗号化された放送番組を復号するための番組鍵情報を生成する鍵情報とが格納されている。
前記第１契約管理部（２−１）を使用して、前記無料チャンネル（“ＣＨ４”）の放送番組（“番組Ｃ”）の視聴又は録画が行なわれるとき、前記割当制御部（２２）は、前記第１受信ユニット（１０−１）を制御する。
このとき、前記第１受信ユニット（１０−１）の受信部（１１）は、第１放送波を受信する。
前記第１放送波は、暗号化された前記無料チャンネル（“ＣＨ４”）の放送番組（“番組Ｃ”）と、前記暗号化された無料チャンネル（“ＣＨ４”）の放送番組（“番組Ｃ”）を復号するための無料番組鍵情報を有するＥＣＭ（番組制御情報）と、複数の照合用個別番号を有するＥＭＭ（個別情報）とを含んでいる。
前記第１受信ユニット（１０−１）のストリーム処理部（１２）は、前記第１放送波に含まれる前記ＥＣＭと前記ＥＭＭとを読み出す。
前記複数の読取制御部（２１−１〜２１−ｎ）のうちの、前記第１受信ユニット（１０−１）に対応する第１読取制御部（２１−１）は、前記第１放送波に含まれる前記ＥＭＭの前記複数の照合用個別番号のうちの１つと、前記第１契約管理部（２−１）に格納された第１個別番号（２−１’）とが一致する場合、前記第１放送波に含まれる前記ＥＭＭを前記第１契約管理部（２−１）に入力することにより、前記第１契約管理部（２−１）に格納された鍵情報を更新し、前記第１放送波に含まれる前記ＥＣＭの前記無料番組鍵情報を前記第１契約管理部（２−１）に入力することにより、前記第１契約管理部（２−１）に格納された鍵情報に基づいて生成された第１番組鍵情報を前記第１契約管理部（２−１）から読み出す。
前記第１受信ユニット（１０−１）の復号部（１３）は、前記第１番組鍵情報に従って、前記第１放送波に含まれる前記暗号化された無料チャンネル（“ＣＨ４”）の放送番組（“番組Ｃ”）を復号する。
前記第１受信ユニット（１０−１）のストリーム処理部（１２）は、前記第１受信ユニット（１０−１）の復号部（１３）により復号された前記無料チャンネル（“ＣＨ４”）の放送番組（“番組Ｃ”）を前記出力装置（３０）に出力する。
前記第１有料チャンネル（“ＣＨ１”）の放送番組（“番組Ｄ”）の視聴又は録画が開始する場合、前記割当制御部（２２）は、前記第２契約管理部（２−２）を前記第１受信ユニット（１０−１）に対応付け、前記第１契約管理部（２−１）を前記第２受信ユニット（１０−２）に対応付け、前記第１受信ユニット（１０−１）と前記第２受信ユニット（１０−２）とを制御する。
この場合、前記第１、第２受信ユニット（１０−１）（１０−２）の受信部（１１）は、それぞれ、前記第１放送波、第２放送波を受信する。
前記第２放送波は、暗号化された前記第１有料チャンネル（“ＣＨ１”）の放送番組（“番組Ｄ”）と、前記暗号化された第１有料チャンネル（“ＣＨ１”）の放送番組（“番組Ｄ”）を復号するための有料番組鍵情報を有するＥＣＭと、前記複数の照合用個別番号を有する前記ＥＭＭとを含んでいる。
前記第１、第２受信ユニット（１０−１）（１０−２）のストリーム処理部（１２）は、それぞれ、前記第１、第２放送波に含まれる前記ＥＣＭと前記ＥＭＭとを読み出す。
前記第１、第２読取制御部（２１−１）（２１−２）は、それぞれ、前記第１、第２放送波に含まれる前記ＥＭＭの前記複数の照合用個別番号のうちの１つと、前記第２、第１契約管理部（２−２）（２−１）に格納された第２、第１個別番号（２−２’）（２−１’）とが一致する場合、それぞれ、前記第１、第２放送波に含まれる前記ＥＭＭを前記第２、第１契約管理部（２−２）（２−１）に入力することにより、前記第２、第１契約管理部（２−２）（２−１）に格納された鍵情報を更新し、前記第１、第２放送波に含まれる前記ＥＣＭの前記無料番組鍵情報、前記有料番組鍵情報を前記第２、第１契約管理部（２−２）（２−１）に入力することにより、前記第２、第１契約管理部（２−２）（２−１）に格納された鍵情報に基づいて生成された前記第１番組鍵情報、第２番組鍵情報を前記第２、第１契約管理部（２−２）（２−１）から読み出す。
前記第１、第２受信ユニット（１０−１）（１０−２）の復号部（１３）は、それぞれ、前記第１、第２番組鍵情報に従って、前記第１、第２放送波に含まれる前記暗号化された無料チャンネル（“ＣＨ４”）の放送番組（“番組Ｃ”）、前記暗号化された第１有料チャンネル（“ＣＨ１”）の放送番組（“番組Ｄ”）を復号する。
前記第１、第２受信ユニット（１０−１）（１０−２）のストリーム処理部（１２）は、それぞれ、前記第１、第２受信ユニット（１０−１）（１０−２）の復号部（１３）により復号された前記無料チャンネル（“ＣＨ４”）の放送番組（“番組Ｃ”）、第１有料チャンネル（“ＣＨ１”）の放送番組（“番組Ｄ”）を前記出力装置（３０）に出力する。
【００２３】
本発明のデジタル放送受信機（１）は、更に、契約管理テーブル（２３）と、受信ユニット管理テーブル（２４）とを具備している。
前記契約管理テーブル（２３）には、前記複数の契約管理部（２−１〜２−ｎ）をそれぞれ識別する前記複数の個別番号（２−１’〜２−ｎ’）と、前記複数の契約管理部（２−１〜２−ｎ）にそれぞれ割り当てられた前記複数の有料チャンネルを表す契約情報と、現在使用されているチャンネルを表す使用中チャンネル情報とが格納されている。
前記受信ユニット管理テーブル（２４）には、前記複数の受信ユニット（１０−１〜１０−ｎ）をそれぞれ識別する複数の識別子（１０−１’〜１０−ｎ’）と、前記複数の受信ユニット（１０−１〜１０−ｎ）のうちの、現在使用されている使用中受信ユニットを表す使用中受信ユニット情報（“使用中”）と、前記複数の契約管理部（２−１〜２−ｎ）のうちの、現在使用されている契約管理部を識別する個別番号とが格納されている。
前記割当制御部（２２）は、前記受信ユニット管理テーブル（２４）と前記契約管理テーブル（２３）とを参照して、前記複数の契約管理部（２−１〜２−ｎ）をそれぞれ前記複数の受信ユニット（１０−１〜１０−ｎ）に対応付ける。
【００２４】
本発明のデジタル放送受信機（１）において、前記第１契約管理部（２−１）を使用して前記無料チャンネル（“ＣＨ４”）の放送番組（“番組Ｃ”）の視聴又は録画が行なわれる。
このとき、前記割当制御部（２２）は、前記第１契約管理部（２−１）を識別する前記第１個別番号（２−１’）に対応付けて、前記使用中チャンネル情報として前記無料チャンネル（“ＣＨ４”）を前記契約管理テーブル（２３）に格納する。
前記割当制御部（２２）は、前記第１受信ユニット（１０−１）を識別する第１識別子（１０−１’）に対応付けて、前記使用中受信ユニット情報（“使用中”）と、前記第１個別番号（２−１’）とを前記受信ユニット管理テーブル（２４）に格納する。
【００２５】
本発明のデジタル放送受信機（１）において、前記第１有料チャンネル（“ＣＨ１”）の放送番組（“番組Ｄ”）の視聴又は録画が開始する。
この場合、前記割当制御部（２２）は、前記受信ユニット管理テーブル（２４）を参照して、前記複数の受信ユニット（１０−１〜１０−ｎ）の中から、使用可能な受信ユニットとして前記第２受信ユニット（１０−２）を選択する。
前記割当制御部（２２）は、前記契約管理テーブル（２３）を参照して、前記複数の契約管理部（２−１〜２−ｎ）の中から、使用可能な契約管理部として前記第２契約管理部（２−２）を選択する。
前記割当制御部（２２）は、前記第１契約管理部（２−１）を識別する前記第１個別番号（２−１’）に対応付けて、前記使用中チャンネル情報として前記第１有料チャンネル（“ＣＨ１”）を前記契約管理テーブル（２３）に格納する。
前記割当制御部（２２）は、前記第２契約管理部（２−２）を識別する前記第２個別番号（２−２’）に対応付けて、前記使用中チャンネル情報として前記無料チャンネル（“ＣＨ４”）を前記契約管理テーブル（２３）に格納する。
前記割当制御部（２２）は、前記第１受信ユニット（１０−１）を識別する前記第１識別子（１０−１’）と、前記使用中受信ユニット情報（“使用中”）とに対応付けて、前記第２個別番号（２−２’）を前記受信ユニット管理テーブル（２４）に格納する。
前記割当制御部（２２）は、前記第２受信ユニット（１０−２）を識別する第２識別子（１０−２’）に対応付けて、前記使用中受信ユニット情報（“使用中”）と、前記第１個別番号（２−１’）とを前記受信ユニット管理テーブル（２４）に格納する。
【００２６】
本発明のデジタル放送受信機（１）において、前記複数の契約管理部（２−１〜２−ｎ）の各々は、ＩＣカードである。
【００２７】
本発明のデジタル放送受信機（１）は、更に、前記デジタル放送受信機（１）に対して取り外し可能な複数のボード（３−１〜３−ｎ）を具備している。
前記複数のボード（３−１〜３−ｎ）は、それぞれ、前記複数の受信ユニット（１０−１〜１０−ｎ）と、前記複数の契約管理部（２−１〜２−ｎ）とが搭載されている。
【００２８】
本発明のデジタル放送受信機（１）は、更に、前記デジタル放送受信機（１）に対して取り外し可能な複数のボード（３−１〜３−ｎ）を具備している。
前記複数のボード（３−１〜３−ｎ）は、それぞれ、前記複数の読取制御部（２１−１〜２１−ｎ）と、前記複数の受信ユニット（１０−１〜１０−ｎ）と、前記複数の契約管理部（２−１〜２−ｎ）とが搭載されている。
【００２９】
本発明のデジタル放送受信機（１）において、前記出力装置（３０）は、映像表示装置（３３）と、蓄積装置（３１）と、デコード部（３２）とを含んでいる。
前記割当制御部（２２）は、視聴を表す視聴指示を前記第１受信ユニット（１０−１）に出力し、録画を表す蓄積指示を前記第２受信ユニット（１０−２）に出力する。
前記第１受信ユニット（１０−１）は、前記視聴指示に応じて、前記無料チャンネル（“ＣＨ４”）の放送番組（“番組Ｃ”）を前記デコード部（３２）に出力する。
前記デコード部（３２）は、前記無料チャンネル（“ＣＨ４”）の放送番組（“番組Ｃ”）をデコードして、映像表示装置（３３）に表示する。
前記第２受信ユニット（１０−２）は、前記蓄積指示に応じて、前記第１有料チャンネル（“ＣＨ１”）の放送番組（“番組Ｄ”）を前記蓄積装置（３１）に蓄積する。
【００３０】
本発明のデジタル放送受信機（１）において、前記出力装置（３０）は、映像表示装置（３３）と、蓄積装置（３１）と、デコード部（３２）とを含んでいる。
前記割当制御部（２２）は、視聴を表す視聴指示を前記第２受信ユニット（１０−２）に出力し、録画を表す蓄積指示を前記第１受信ユニット（１０−１）に出力する。
前記第１受信ユニット（１０−１）は、前記蓄積指示に応じて、前記無料チャンネル（“ＣＨ４”）の放送番組（“番組Ｃ”）を前記蓄積装置（３１）に蓄積する。
前記第２受信ユニット（１０−２）は、前記視聴指示に応じて、前記第１有料チャンネル（“ＣＨ１”）の放送番組（“番組Ｄ”）を前記デコード部（３２）に出力する。
前記デコード部（３２）は、前記第１有料チャンネル（“ＣＨ１”）の放送番組（“番組Ｄ”）をデコードして、映像表示装置（３３）に表示する。
【００３１】
本発明のデジタル放送受信機（１）において、前記出力装置（３０）は、蓄積装置（３１）を含んでいる。
前記割当制御部（２２）は、録画を表す第１蓄積指示、第２蓄積指示をそれぞれ前記第１受信ユニット（１０−１）、前記第２受信ユニット（１０−２）に出力する。
前記第１受信ユニット（１０−１）は、前記第１蓄積指示に応じて、前記無料チャンネル（“ＣＨ４”）の放送番組（“番組Ｃ”）を前記蓄積装置（３１）に蓄積する。
前記第２受信ユニット（１０−２）は、前記第２蓄積指示に応じて、前記第１有料チャンネル（“ＣＨ１”）の放送番組（“番組Ｄ”）を前記蓄積装置（３１）に蓄積する。
【００３２】
本発明のテレビは、上記のデジタル放送受信機（１）と、上記のデジタル放送受信機（１）によりデコードされた放送番組を表示する映像表示装置（３３）とを具備している。
【００３３】
本発明のデジタル放送受信機（１）の制御方法は、複数の契約管理部（２−１〜２−ｎ）と、複数の受信ユニット（１０−１〜１０−ｎ）と、制御部（２０）と、出力装置（３０）とを具備するデジタル放送受信機（１）に適用される。前記複数の契約管理部（２−１〜２−ｎ）のそれぞれに対して複数の有料チャンネルが割り当てられ、前記制御部（２０）が前記複数の受信ユニット（１０−１〜１０−ｎ）を制御する。
本発明のデジタル放送受信機（１）の制御方法は、前記複数の契約管理部（２−１〜２−ｎ）をそれぞれ前記複数の受信ユニット（１０−１〜１０−ｎ）に対応付けるステップを具備している。
本発明のデジタル放送受信機（１）の制御方法は、更に、前記複数の契約管理部（２−１〜２−ｎ）のうちの第１契約管理部（２−１）を使用して、無料チャンネル（“ＣＨ４”）の放送番組（“番組Ｃ”）の視聴又は録画が行なわれるとき、前記第１契約管理部（２−１）を用いて、前記無料チャンネル（“ＣＨ４”）の放送番組（“番組Ｃ”）を受信して前記出力装置（３０）に出力するように、前記複数の受信ユニット（１０−１〜１０−ｎ）のうちの、前記第１契約管理部（２−１）に対応する第１受信ユニット（１０−１）を制御するステップを具備している。
本発明のデジタル放送受信機（１）の制御方法は、更に、前記複数の有料チャンネルのうちの、前記第１契約管理部（２−１）に割り当てられた第１有料チャンネル（“ＣＨ１”）の放送番組（“番組Ｄ”）の視聴又は録画が開始する場合、前記複数の契約管理部（２−１〜２−ｎ）のうちの第２契約管理部（２−２）を前記第１受信ユニット（１０−１）に対応付け、前記第１契約管理部（２−１）を前記複数の受信ユニット（１０−１〜１０−ｎ）のうちの第２受信ユニット（１０−２）に対応付けるステップと、前記第２契約管理部（２−２）を用いて、前記無料チャンネル（“ＣＨ４”）の放送番組（“番組Ｃ”）を受信して前記出力装置（３０）に出力するように、前記第１受信ユニット（１０−１）を制御するステップと、前記第１契約管理部（２−１）を用いて、前記第１有料チャンネル（“ＣＨ１”）の放送番組（“番組Ｄ”）を受信して前記出力装置（３０）に出力するように、前記第２受信ユニット（１０−２）を制御するステップとを具備している。
【発明の効果】
【００３４】
以上により、本発明のデジタル放送受信機は、複数のチャンネルの放送番組の視聴／録画と、その複数のチャンネルの放送番組をそれぞれ受信するときの複数の放送番組受信処理の同時実行とを可能にし、利用者が所望の番組を視聴又は録画することができる。
【発明を実施するための最良の形態】
【００３５】
以下に添付図面を参照して、本発明のデジタル放送受信機について詳細に説明する。
【００３６】
（第１実施形態）
図２は、本発明の第１実施形態によるデジタル放送受信機１が適用されるテレビの構成を示している。テレビは、第１実施形態によるデジタル放送受信機１と、映像表示装置３３とを具備している。デジタル放送受信機１は、契約管理部として複数のＩＣカード２−１〜２−ｎ（ｎは２以上の整数）と、複数の受信ユニット１０−１〜１０−ｎと、制御部２０と、出力装置３０とを具備している。複数のＩＣカード２−１〜２−ｎと複数の受信ユニット１０−１〜１０−ｎと制御部２０と出力装置３０はバスに接続されている。
【００３７】
複数のＩＣカード２−１〜２−ｎは、利用者がデジタル放送機器を購入した際に添付される。複数のＩＣカード２−１〜２−ｎは、デジタル放送受信機１に対して取り外し可能である。
複数の受信ユニット１０−１〜１０−ｎの各々は、受信部であるチューナ部１１と、ストリーム処理部１２と、復号部１３とを具備している。チューナ部１１は、アンテナに接続されている。
制御部２０は、複数の受信ユニット１０−１〜１０−ｎと出力装置３０とを制御するコンピュータである。制御部２０は、複数の読取制御部２１−１〜２１−ｎと、割当制御部２２とを具備している。複数の読取制御部２１−１〜２１−ｎと割当制御部２２は、ハードウェア（例示；回路）、ソフトウェア（例示；コンピュータプログラム）により実現される。複数の読取制御部２１−１〜２１−ｎは、それぞれ、複数の受信ユニット１０−１〜１０−ｎに設けられている。割当制御部２２は、複数のＩＣカード２−１〜２−ｎをそれぞれ複数の受信ユニット１０−１〜１０−ｎに対応付ける。
出力装置３０は、蓄積装置３１、デコード部３２を含み、デコード部３２は映像表示装置３３に接続されている。映像表示装置３３は、デジタル放送受信機１に取り付けられ、蓄積装置３１、デコード部３２は、デジタル放送受信機１に内蔵されている。
【００３８】
複数のＩＣカード２−１〜２−ｎには、それぞれ、契約情報と、自己を識別する個別番号２−１’〜２−ｎ’とが格納されている。複数のＩＣカード２−１〜２−ｎに格納された契約情報は、それぞれ、暗号化された放送番組を復号するための番組鍵情報を生成する鍵情報を含んでいる。
ここで、説明を簡略化するために、放送される１番目からｎ番目（ｎは２以上の整数）までのｎ個のチャンネル“ＣＨ１〜ＣＨｎ”のうちの、奇数番目のチャンネル“ＣＨ１、ＣＨ３、…、ＣＨ（ｎ−１）”を有料チャンネル群と称し、偶数番目のチャンネル“ＣＨ２、ＣＨ４、…、ＣＨｎ”を無料チャンネル群と称する。複数のＩＣカード２−１〜２−ｎの各々には、無料チャンネル群“ＣＨ２、ＣＨ４、…、ＣＨｎ”が割り当てられている。
また、説明を簡略化するために、１つのＩＣカードに対して１つの有料チャンネルが割り当てられるものとする。この場合、複数のＩＣカード２−１〜２−ｎとして、１番目からｎ番目までのｎ個のＩＣカード２−１〜２−ｎのうちの、奇数番目のＩＣカード２−１、２−３、…、２−（ｎ−１）である有料契約ＩＣカード群のそれぞれに対して有料チャンネル群“ＣＨ１、ＣＨ３、…、ＣＨ（ｎ−１）”が割り当てられている。
なお、ｎが偶数である場合、有料チャンネル群を“ＣＨ１、ＣＨ３、…、ＣＨ（ｎ−１）”とし、無料チャンネル群を“ＣＨ２、ＣＨ４、…、ＣＨｎ”としているが、ｎが奇数である場合、有料チャンネル群を“ＣＨ１、ＣＨ３、…、ＣＨｎ”とし、無料チャンネル群を“ＣＨ２、ＣＨ４、…、ＣＨ（ｎ−１）”として読み替えればよい。本実施例では、上記のようにｎを偶数とする。
【００３９】
利用者は、複数のＩＣカード２−１〜２−ｎを使用して、ｎ個のチャンネル“ＣＨ１〜ＣＨｎ”の各々の放送番組を視聴又は録画することができる。
デジタル放送受信機１は、アンテナを介して、例えば、放送局に設けられたサーバ（図示しない）に接続されている。サーバは、あるチャンネルの番組の放送時刻にその番組の番組データを放送波により送信している。また、サーバは、番組案内情報｛以下、ＥＰＧ（Ｅｌｅｃｔｒｉｃ  Ｐｒｏｇｒａｍ  Ｇｕｉｄｅ）｝を定期的に放送電波により送信している。ＥＰＧは、視聴する番組の選定や、番組の録画・録画予約を行なうときのガイドとして利用される。割当制御部２２は、ＥＰＧを受信して、出力装置３０の蓄積装置３１に格納するように、複数の受信ユニット１０−１〜１０−ｎのうちの１つの受信ユニットを制御する。
【００４０】
例えば、利用者は、複数のＩＣカード２−１〜２−ｎのうちのＩＣカード２−２を使用して、無料チャンネル群“ＣＨ２、ＣＨ４、…、ＣＨｎ”のうちの無料チャンネル“ＣＨ２”の放送番組の視聴又は録画を行なう。この場合、割当制御部２２は、複数の受信ユニット１０−１〜１０−ｎのうちの、ＩＣカード２−２に対応する受信ユニット１０−２を制御する。
受信ユニット１０−２のチューナ部１１は、放送波を受信し、受信ユニット１０−２のストリーム処理部１２に出力する。この放送波は、暗号化された無料チャンネル“ＣＨ２”の放送番組と、暗号化された無料チャンネル“ＣＨ２”の放送番組を復号するための無料番組鍵情報を有するＥＣＭ（番組制御情報）と、複数の照合用個別番号を有するＥＭＭ（個別情報）とを含んでいる。受信ユニット１０−２のストリーム処理部１２は、上記の放送波に含まれるＥＣＭとＥＭＭとを読み出し、複数の読取制御部２１−１〜２１−ｎのうちの、受信ユニット１０−２に対応する読取制御部２１−２に出力する。読取制御部２１−２は、上記の放送波に含まれるＥＭＭの複数の照合用個別番号のうちの１つと、ＩＣカード２−２に格納された個別番号２−２’とが一致するか否かを照合する。読取制御部２１−２は、照合結果が一致を表すとき、上記のＥＭＭをＩＣカード２−２に入力することにより、ＩＣカード２−２内の契約情報は書き換えられる。このとき、ＩＣカード２−２に格納された鍵情報が更新される。次に、読取制御部２１−２は、上記の放送波に含まれるＥＣＭの無料番組鍵情報をＩＣカード２−２に入力することにより、ＩＣカード２−２に格納された鍵情報に基づいて生成された番組鍵情報をＩＣカード２−２から読み出し、その番組鍵情報を受信ユニット１０−２の復号部１３に出力する。同時に、受信ユニット１０−２のストリーム処理部１２は、放送波に含まれる暗号化された無料チャンネル“ＣＨ２”の放送番組を受信ユニット１０−２の復号部１３に出力する。受信ユニット１０−２の復号部１３は、その番組鍵情報に従って、放送波に含まれる暗号化された無料チャンネル“ＣＨ２”の放送番組を復号し、受信ユニット１０−２のストリーム処理部１２に出力する。受信ユニット１０−２のストリーム処理部１２は、受信ユニット１０−２の復号部１３により復号された無料チャンネル“ＣＨ２”の放送番組を出力装置３０に出力する。
【００４１】
例えば、利用者は、有料契約ＩＣカード群２−１、２−３、…、２−（ｎ−１）のうちのＩＣカード２−１を使用して、有料チャンネル群“ＣＨ１、ＣＨ３、…、ＣＨ（ｎ−１）”のうちの有料チャンネル“ＣＨ１”の放送番組の視聴又は録画を行なう。この場合、割当制御部２２は、複数の受信ユニット１０−１〜１０−ｎのうちの、ＩＣカード２−１に対応する受信ユニット１０−１を制御する。
受信ユニット１０−１のチューナ部１１は、放送波を受信し、受信ユニット１０−１のストリーム処理部１２に出力する。この放送波は、暗号化された有料チャンネル“ＣＨ１”の放送番組と、暗号化された有料チャンネル“ＣＨ１”の放送番組を復号するための有料番組鍵情報を有するＥＣＭと、複数の照合用個別番号を有するＥＭＭとを含んでいる。受信ユニット１０−１のストリーム処理部１２は、上記の放送波に含まれるＥＭＭとＥＣＭとを読み出し、読取制御部２１−１に出力する。読取制御部２１−１は、上記の放送波に含まれるＥＭＭの複数の照合用個別番号のうちの１つと、ＩＣカード２−１に格納された個別番号２−１’とが一致するか否かを照合する。読取制御部２１−１は、照合結果が一致を表すとき、上記のＥＭＭをＩＣカード２−１に入力することにより、ＩＣカード２−１内の契約情報は書き換えられる。このとき、ＩＣカード２−１に格納された鍵情報が更新される。次に、読取制御部２１−１は、上記の放送波に含まれるＥＣＭの有料番組鍵情報をＩＣカード２−１に入力することにより、ＩＣカード２−１に格納された鍵情報に基づいて生成された番組鍵情報をＩＣカード２−１から読み出し、その番組鍵情報を受信ユニット１０−１の復号部１３に出力する。同時に、受信ユニット１０−１のストリーム処理部１２は、放送波に含まれる暗号化された有料チャンネル“ＣＨ１”の放送番組を受信ユニット１０−１の復号部１３に出力する。受信ユニット１０−１の復号部１３は、その番組鍵情報に従って、放送波に含まれる暗号化された有料チャンネル“ＣＨ１”の放送番組を復号し、受信ユニット１０−１のストリーム処理部１２に出力する。受信ユニット１０−１のストリーム処理部１２は、受信ユニット１０−１の復号部１３により復号された有料チャンネル“ＣＨ１”の放送番組を出力装置３０に出力する。
【００４２】
無料チャンネル“ＣＨ２”の放送番組の視聴が行なわれる場合、割当制御部２２は、視聴を表す視聴指示を受信ユニット１０−２のストリーム処理部１２に出力する。この場合、受信ユニット１０−１のストリーム処理部１２は、視聴指示に応じて、上記の放送番組を出力装置３０のデコード部３２に出力する。デコード部３２は、その放送番組をデコードして、映像表示装置３３に表示する。
有料チャンネル“ＣＨ１”の放送番組の録画が行なわれる場合、割当制御部２２は、録画を表す蓄積指示を受信ユニット１０−１のストリーム処理部１２に出力する。この場合、受信ユニット１０−１のストリーム処理部１２は、蓄積指示に応じて、上記の放送番組を出力装置３０の蓄積装置３１に蓄積する。
【００４３】
これにより、本発明のデジタル放送受信機１では、複数のチャンネル（例えば、無料チャンネル“ＣＨ２”、有料チャンネル“ＣＨ１”）の放送番組の視聴／録画と、その複数のチャンネルの放送番組をそれぞれ受信するときの複数の放送番組受信処理の同時実行とを可能にする。しかし、割当制御部２２が、複数のＩＣカード２−１〜２−ｎをそれぞれ複数の受信ユニット１０−１〜１０−ｎに対応付けるだけでは、次のような問題が生じる。これについて、図３を用いて説明する。
【００４４】
例えば、利用者は、有料契約ＩＣカード群２−１、２−３、…、２−（ｎ−１）のうちのＩＣカード２−１を使用して、有料チャンネル“ＣＨ１”の放送番組“番組Ａ”の視聴又は録画を行なう。放送番組“番組Ａ”の放送時間は“１０：００〜１１：００”であるものとする。この場合、複数の受信ユニット１０−１〜１０−ｎのうちの、ＩＣカード２−１に対応する受信ユニット１０−１は、ＩＣカード２−１を用いて、有料チャンネル“ＣＨ１”の放送番組“番組Ａ”を受信して出力装置３０に出力する。
また、利用者は、複数のＩＣカード２−１〜２−ｎのうちのＩＣカード２−２を使用して、無料チャンネル“ＣＨ２”の放送番組“番組Ｂ”の視聴又は録画を行なう。放送番組“番組Ｂ”の放送時間は“１０：００〜１１：３０”であるものとする。この場合、複数の受信ユニット１０−１〜１０−ｎのうちの、ＩＣカード２−２に対応する受信ユニット１０−２は、ＩＣカード２−２を用いて、無料チャンネル“ＣＨ２”の放送番組“番組Ｂ”を受信して出力装置３０に出力する。
【００４５】
次に、利用者は、ＩＣカード２−１を使用して、有料チャンネル“ＣＨ１”の放送番組“番組Ａ”の視聴又は録画を終了し、無料チャンネル“ＣＨ４”の放送番組“番組Ｃ”の視聴又は録画を行なう。放送番組“番組Ｃ”の放送時間は“１１：００〜１２：００”であるものとする。この場合、受信ユニット１０−１は、ＩＣカード２−１を用いて、無料チャンネル“ＣＨ４”の放送番組“番組Ｃ”を受信して出力装置３０に出力する。
ここで、有料チャンネル“ＣＨ１”の放送番組“番組Ｄ”の放送時間が“１１：３０〜”であるものとする。このときに、利用者により有料チャンネル“ＣＨ１”の放送番組“番組Ｄ”の視聴又は録画を開始する場合、受信ユニット１０−２は使用可能であるが、ＩＣカード２−１は受信ユニット１０−１に使用されている時間帯がある。このため、受信ユニット１０−１は、ＩＣカード２−１を用いて、無料チャンネル“ＣＨ４”の放送番組“番組Ｃ”を受信している限り、ＩＣカード２−１に割り当てられた有料チャンネル“ＣＨ１”の放送番組“番組Ｄ”を受信できない。
【００４６】
このように、利用者は、有料チャンネル“ＣＨ１”の放送番組“番組Ｄ”が放送されていることを知らずに、無料チャンネル“ＣＨ４”の放送番組“番組Ｃ”を視聴している場合、所望の番組として、有料チャンネル“ＣＨ１”の放送番組“番組Ｄ”を視聴又は録画することができない。
あるいは、利用者は、ＩＣカード２−１を用いて、無料チャンネル“ＣＨ４”の放送番組“番組Ｃ”を録画している場合、所望の番組として、有料チャンネル“ＣＨ１”の放送番組“番組Ｄ”を視聴又は録画することができない。
【００４７】
そこで、割当制御部２２は、複数のＩＣカード２−１〜２−ｎのうちの、使用可能なＩＣカードを受信ユニット１０−１に対応付け、複数の受信ユニット１０−１〜１０−ｎのうちの、使用可能な受信ユニットにＩＣカード２−１を対応付ける。これについて、図４を用いて説明する。
【００４８】
例えば、利用者は、有料契約ＩＣカード群２−１、２−３、…、２−（ｎ−１）のうちのＩＣカード２−１を使用して、有料チャンネル“ＣＨ１”の放送番組“番組Ａ”の視聴又は録画を行なう。上述のように、放送番組“番組Ａ”の放送時間は“１０：００〜１１：００”である。この場合、複数の受信ユニット１０−１〜１０−ｎのうちの、ＩＣカード２−１に対応する受信ユニット１０−１は、ＩＣカード２−１を用いて、有料チャンネル“ＣＨ１”の放送番組“番組Ａ”を受信して出力装置３０に出力する。
【００４９】
また、利用者は、複数のＩＣカード２−１〜２−ｎのうちのＩＣカード２−２を使用して、無料チャンネル“ＣＨ２”の放送番組“番組Ｂ”の視聴又は録画を行なう。上述のように、放送番組“番組Ｂ”の放送時間は“１０：００〜１１：３０”である。この場合、複数の受信ユニット１０−１〜１０−ｎのうちの、ＩＣカード２−２に対応する受信ユニット１０−２は、ＩＣカード２−２を用いて、無料チャンネル“ＣＨ２”の放送番組“番組Ｂ”を受信して出力装置３０に出力する。
【００５０】
次に、利用者は、ＩＣカード２−１を使用して、有料チャンネル“ＣＨ１”の放送番組“番組Ａ”の視聴又は録画を終了し、無料チャンネル“ＣＨ４”の放送番組“番組Ｃ”の視聴又は録画を行なう。上述のように、放送番組“番組Ｃ”の放送時間は“１１：００〜１２：００”である。この場合、受信ユニット１０−１は、ＩＣカード２−１を用いて、無料チャンネル“ＣＨ４”の放送番組“番組Ｃ”を受信して出力装置３０に出力する。
【００５１】
上述のように、有料チャンネル“ＣＨ１”の放送番組“番組Ｄ”の放送時間は“１１：３０〜”である。利用者は、時刻“１１：３０”よりも前の時刻に、蓄積装置３１に格納されたＥＰＧに対して、有料チャンネル“ＣＨ１”の放送番組“番組Ｄ”の視聴又は録画の予約を行なっている。ＩＣカード２−１が受信ユニット１０−１に使用されている時間帯に、有料チャンネル“ＣＨ１”の放送番組“番組Ｄ”が開始する。
この場合、割当制御部２２は、そのＥＰＧを参照して上記の予約を認識し、複数のＩＣカード２−１〜２−ｎのうちの、使用可能なＩＣカードを受信ユニット１０−１に対応付け、複数の受信ユニット１０−１〜１０−ｎのうちの、使用可能な受信ユニットにＩＣカード２−１を対応付ける。ここで、割当制御部２２は、放送番組“番組Ｂ”、“番組Ｃ”、“番組Ｄ”の放送時間はそれぞれ“１０：００〜１１：３０”、“１１：００〜１２：００”、“１１：３０〜”であることを認識し、複数のＩＣカード２−１〜２−ｎの中から、例えば時刻“１１：３０”から使用可能なＩＣカードとしてＩＣカード２−２を選択し、受信ユニット１０−１にＩＣカード２−２を対応付ける。割当制御部２２は、複数の受信ユニット１０−１〜１０−ｎの中から、例えば時刻“１１：３０”から使用可能な受信ユニットとして受信ユニット１０−２を選択し、受信ユニット１０−２にＩＣカード２−１を対応付ける。
受信ユニット１０−１は、ＩＣカード２−２を用いて、無料チャンネル“ＣＨ４”の放送番組“番組Ｃ”を受信して出力装置３０に出力する。受信ユニット１０−２は、ＩＣカード２−１を用いて、有料チャンネル“ＣＨ１”の放送番組“番組Ｄ”を受信して出力装置３０に出力する。
【００５２】
このように、本発明のデジタル放送受信機１は、複数のチャンネル（例えば、無料チャンネル“ＣＨ４”、有料チャンネル“ＣＨ１”）の放送番組の視聴／録画と、その複数のチャンネルの放送番組をそれぞれ受信するときの複数の放送番組受信処理の同時実行とを可能にし、利用者が所望の番組を視聴又は録画することができる。
【００５３】
上記の効果を実現するために、図２に示されるように、制御部２０は、更に、契約管理テーブルとしてＩＣカード管理テーブル２３と、受信ユニット管理テーブル２４とを具備している。
図５に示されるように、ＩＣカード管理テーブル２３には、複数のＩＣカード２−１〜２−ｎをそれぞれ識別する上記の個別番号２−１’〜２−ｎ’と、有料契約ＩＣカード群２−１、２−３、…、２−（ｎ−１）にそれぞれ割り当てられた有料チャンネル群“ＣＨ１、ＣＨ３、…、ＣＨ（ｎ−１）”を表す上記の契約情報と、現在使用されているチャンネルを表す使用中チャンネル情報とが格納されている。
図６に示されるように、受信ユニット管理テーブル２４には、複数の受信ユニット１０−１〜１０−ｎをそれぞれ識別する複数の識別子１０−１’〜１０−ｎ’と、複数の受信ユニット１０−１〜１０−ｎのうちの、現在使用されている使用中受信ユニットを表す使用中受信ユニット情報“使用中”と、複数のＩＣカード２−１〜２−ｎのうちの、現在使用されているＩＣカードを識別する個別番号とが格納されている。
これにより、割当制御部２２は、受信ユニット管理テーブル２４と契約管理テーブル２３とを参照して、複数のＩＣカード２−１〜２−ｎをそれぞれ複数の受信ユニット１０−１〜１０−ｎに対応付ける。
【００５４】
図７は、本発明のデジタル放送受信機１の動作（放送番組受信処理）を示すフローチャートである。この動作について、図４〜図７を用いて説明する。
【００５５】
まず、有料チャンネル“ＣＨ１”の放送番組“番組Ａ”における放送番組受信処理について説明する。
【００５６】
例えば、利用者は、ＩＣカード２−１を使用して、有料チャンネル“ＣＨ１”の放送番組“番組Ａ”の視聴又は録画を行なう。このとき、割当制御部２２は、受信ユニット管理テーブル２４を参照して、受信ユニット１０−１が使用可能であるか否かを調べる（ステップＳ１）。
【００５７】
例えば、複数の受信ユニット１０−１〜１０−ｎが使用中である場合、受信ユニット管理テーブル２４には、複数の受信ユニット１０−１〜１０−ｎを識別する識別子１０−１’〜１０−ｎ’に対応付けて使用中受信ユニット情報“使用中”が格納されている（ステップＳ１−ＮＯ）。この場合、割当制御部２２は、視聴又は録画を行なうことができない旨を表す情報を映像表示装置３３に表示して、利用者に通知する（ステップＳ９；不可処理）。
【００５８】
例えば、受信ユニット管理テーブル２４には、受信ユニット１０−１を識別する識別子１０−１’に対応付けて使用中受信ユニット情報“使用中”が格納されていない。この場合、受信ユニット１０−１が使用可能である（ステップＳ１−ＹＥＳ）。
割当制御部２２は、蓄積装置３１に格納されたＥＰＧを参照した結果、放送番組“番組Ａ”は有料チャンネル“ＣＨ１”の放送番組であることを認識する（ステップＳ２−ＹＥＳ）。このため、割当制御部２２は、契約管理テーブル２３を参照して、有料チャンネル“ＣＨ１”が割り当てられたＩＣカード２−１が使用可能であるか否かを調べる（ステップＳ３）。
ここで、契約管理テーブル２３には、ＩＣカード２−１を識別する個別番号２−１’に対応付けて使用中チャンネル情報が格納されていない。この場合、ＩＣカード２−１が使用可能である（ステップＳ３−ＹＥＳ）。この場合、割当制御部２２は、個別番号２−１’に対応付けて、使用中チャンネル情報として有料チャンネル“ＣＨ１”を契約管理テーブル２３に格納する。割当制御部２２は、識別子１０−１’に対応付けて、使用中受信ユニット情報“使用中”と、個別番号２−１’とを受信ユニット管理テーブル２４に格納する。割当制御部２２は、ＥＰＧと受信ユニット管理テーブル２４と契約管理テーブル２３とを参照して、受信ユニット１０−１、出力装置３０を制御する許可処理（ステップＳ１０）を実行する。
【００５９】
この場合、受信ユニット１０−１のチューナ部１１は、放送波を受信し、受信ユニット１０−１のストリーム処理部１２に出力する。この放送波は、暗号化された有料チャンネル“ＣＨ１”の放送番組“番組Ａ”と、暗号化された有料チャンネル“ＣＨ１”の放送番組“番組Ａ”を復号するための有料番組鍵情報を有するＥＣＭと、複数の照合用個別番号を有するＥＭＭとを含んでいる。受信ユニット１０−１のストリーム処理部１２は、上記の放送波に含まれるＥＭＭとＥＣＭとを読み出し、読取制御部２１−１に出力する。読取制御部２１−１は、上記の放送波に含まれるＥＭＭの複数の照合用個別番号のうちの１つと、ＩＣカード２−１に格納された個別番号２−１’とが一致するか否かを照合する。読取制御部２１−１は、照合結果が一致を表すとき、上記のＥＭＭをＩＣカード２−１に入力することにより、ＩＣカード２−１内の契約情報は書き換えられる。このとき、ＩＣカード２−１に格納された鍵情報が更新される。次に、読取制御部２１−１は、上記の放送波に含まれるＥＣＭの有料番組鍵情報をＩＣカード２−１に入力することにより、ＩＣカード２−１に格納された鍵情報に基づいて生成された番組鍵情報をＩＣカード２−１から読み出し、その番組鍵情報を受信ユニット１０−１の復号部１３に出力する。同時に、受信ユニット１０−１のストリーム処理部１２は、放送波に含まれる暗号化された有料チャンネル“ＣＨ１”の放送番組“番組Ａ”を受信ユニット１０−１の復号部１３に出力する。受信ユニット１０−１の復号部１３は、その番組鍵情報に従って、放送波に含まれる暗号化された有料チャンネル“ＣＨ１”の放送番組“番組Ａ”を復号し、受信ユニット１０−１のストリーム処理部１２に出力する。受信ユニット１０−１のストリーム処理部１２は、受信ユニット１０−１の復号部１３により復号された有料チャンネル“ＣＨ１”の放送番組“番組Ａ”を出力装置３０に出力する。
【００６０】
次に、無料チャンネル“ＣＨ２”の放送番組“番組Ｂ”における放送番組受信処理について説明する。
【００６１】
例えば、利用者は、ＩＣカード２−２を使用して、無料チャンネル“ＣＨ２”の放送番組“番組Ｂ”の視聴又は録画を行なう。このとき、割当制御部２２は、受信ユニット管理テーブル２４を参照して、受信ユニット１０−２が使用可能であるか否かを調べる（ステップＳ１）。
【００６２】
例えば、受信ユニット管理テーブル２４には、受信ユニット１０−２を識別する識別子１０−２’に対応付けて使用中受信ユニット情報“使用中”が格納されていない。この場合、受信ユニット１０−２が使用可能である（ステップＳ１−ＹＥＳ）。
割当制御部２２は、蓄積装置３１に格納されたＥＰＧを参照した結果、放送番組“番組Ｂ”は無料チャンネル“ＣＨ２”の放送番組であることを認識する（ステップＳ２−ＮＯ）。有料チャンネルが割り当てられたＩＣカードを使用する必要はないため、割当制御部２２は、契約管理テーブル２３を参照して、複数のＩＣカード２−１〜２−ｎのうちの有料契約ＩＣカード群２−１、２−３、…、２−（ｎ−１）以外のＩＣカード２−２、２−４、…、２−ｎが使用可能であるか否かを調べる（ステップＳ７）。
ここで、契約管理テーブル２３には、ＩＣカード２−２を識別する個別番号２−２’に対応付けて使用中チャンネル情報が格納されていない。この場合、ＩＣカード２−２が使用可能である（ステップＳ７−ＹＥＳ）。この場合、割当制御部２２は、個別番号２−２’に対応付けて、使用中チャンネル情報として無料チャンネル“ＣＨ２”を契約管理テーブル２３に格納する。割当制御部２２は、識別子１０−２’に対応付けて、使用中受信ユニット情報“使用中”と、個別番号２−２’とを受信ユニット管理テーブル２４に格納する。割当制御部２２は、ＥＰＧと受信ユニット管理テーブル２４と契約管理テーブル２３とを参照して、受信ユニット１０−２、出力装置３０を制御する許可処理（ステップＳ１０）を実行する。
【００６３】
この場合、受信ユニット１０−２のチューナ部１１は、放送波を受信し、受信ユニット１０−２のストリーム処理部１２に出力する。この放送波は、暗号化された無料チャンネル“ＣＨ２”の放送番組“番組Ｂ”と、暗号化された無料チャンネル“ＣＨ２”の放送番組“番組Ｂ”を復号するための無料番組鍵情報を有するＥＣＭと、複数の照合用個別番号を有するＥＭＭとを含んでいる。受信ユニット１０−２のストリーム処理部１２は、上記の放送波に含まれるＥＣＭとＥＭＭとを読み出し、複数の読取制御部２１−１〜２１−ｎのうちの、受信ユニット１０−２に対応する読取制御部２１−２に出力する。読取制御部２１−２は、上記の放送波に含まれるＥＭＭの複数の照合用個別番号のうちの１つと、ＩＣカード２−２に格納された個別番号２−２’とが一致するか否かを照合する。読取制御部２１−２は、照合結果が一致を表すとき、上記のＥＭＭをＩＣカード２−２に入力することにより、ＩＣカード２−２内の契約情報は書き換えられる。このとき、ＩＣカード２−２に格納された鍵情報が更新される。次に、読取制御部２１−２は、上記の放送波に含まれるＥＣＭの無料番組鍵情報をＩＣカード２−２に入力することにより、ＩＣカード２−２に格納された鍵情報に基づいて生成された番組鍵情報をＩＣカード２−２から読み出し、その番組鍵情報を受信ユニット１０−２の復号部１３に出力する。同時に、受信ユニット１０−２のストリーム処理部１２は、放送波に含まれる暗号化された無料チャンネル“ＣＨ２”の放送番組“番組Ｂ”を受信ユニット１０−２の復号部１３に出力する。受信ユニット１０−２の復号部１３は、その番組鍵情報に従って、放送波に含まれる暗号化された無料チャンネル“ＣＨ２”の放送番組“番組Ｂ”を復号し、受信ユニット１０−２のストリーム処理部１２に出力する。受信ユニット１０−２のストリーム処理部１２は、受信ユニット１０−２の復号部１３により復号された無料チャンネル“ＣＨ２”の放送番組“番組Ｂ”を出力装置３０に出力する。
【００６４】
許可処理（ステップＳ１０）において、無料チャンネル“ＣＨ２”の放送番組“番組Ｂ”の視聴が行なわれ、有料チャンネル“ＣＨ１”の放送番組“番組Ａ”の録画が行なわれる場合、割当制御部２２は、視聴を表す視聴指示を受信ユニット１０−２のストリーム処理部１２に出力し、録画を表す蓄積指示を受信ユニット１０−１のストリーム処理部１２に出力する。
この場合、受信ユニット１０−２のストリーム処理部１２は、視聴指示に応じて、上記の放送番組“番組Ｂ”を出力装置３０のデコード部３２に出力する。デコード部３２は、その放送番組“番組Ｂ”をデコードして、映像表示装置３３に表示する。
受信ユニット１０−１のストリーム処理部１２は、蓄積指示に応じて、上記の放送番組“番組Ａ”を出力装置３０の蓄積装置３１に蓄積する。
【００６５】
許可処理（ステップＳ１０）において、有料チャンネル“ＣＨ１”の放送番組“番組Ａ”の視聴が行なわれ、無料チャンネル“ＣＨ２”の放送番組“番組Ｂ”の録画が行なわれる場合、割当制御部２２は、視聴を表す視聴指示を受信ユニット１０−１のストリーム処理部１２に出力し、録画を表す蓄積指示を受信ユニット１０−２のストリーム処理部１２に出力する。
この場合、受信ユニット１０−１のストリーム処理部１２は、視聴指示に応じて、上記の放送番組“番組Ａ”を出力装置３０のデコード部３２に出力する。デコード部３２は、その放送番組“番組Ａ”をデコードして、映像表示装置３３に表示する。
受信ユニット１０−２のストリーム処理部１２は、蓄積指示に応じて、上記の放送番組“番組Ｂ”を出力装置３０の蓄積装置３１に蓄積する。
【００６６】
許可処理（ステップＳ１０）において、有料チャンネル“ＣＨ１”の放送番組“番組Ａ”の録画が行なわれ、無料チャンネル“ＣＨ２”の放送番組“番組Ｂ”の録画が行なわれる場合、割当制御部２２は、録画を表す第１蓄積指示、第２蓄積指示をそれぞれ受信ユニット１０−１のストリーム処理部１２、受信ユニット１０−２のストリーム処理部１２に出力する。
この場合、受信ユニット１０−１のストリーム処理部１２は、第１蓄積指示に応じて、上記の放送番組“番組Ａ”を出力装置３０の蓄積装置３１に蓄積する。
受信ユニット１０−２のストリーム処理部１２は、第２蓄積指示に応じて、上記の放送番組“番組Ｂ”を出力装置３０の蓄積装置３１に蓄積する。
【００６７】
これにより、本発明のデジタル放送受信機１は、複数のチャンネルとして無料チャンネル“ＣＨ２”、有料チャンネル“ＣＨ１”の放送番組の視聴／録画と、その複数のチャンネルの放送番組をそれぞれ受信するときの複数の放送番組受信処理の同時実行とを可能にする。
【００６８】
次に、無料チャンネル“ＣＨ４”の放送番組“番組Ｃ”における放送番組受信処理について説明する。
【００６９】
例えば、利用者は、ＩＣカード２−１を使用して、無料チャンネル“ＣＨ４”の放送番組“番組Ｃ”の視聴又は録画を行なう。このとき、割当制御部２２は、受信ユニット管理テーブル２４を参照して、受信ユニット１０−１が使用可能であるか否かを調べる（ステップＳ１）。
【００７０】
例えば、受信ユニット管理テーブル２４には、受信ユニット１０−１を識別する識別子１０−１’に対応付けて使用中受信ユニット情報“使用中”が格納されていない。この場合、受信ユニット１０−１が使用可能である（ステップＳ１−ＹＥＳ）。
割当制御部２２は、蓄積装置３１に格納されたＥＰＧを参照した結果、放送番組“番組Ｃ”は無料チャンネル“ＣＨ４”の放送番組であることを認識する（ステップＳ２−ＮＯ）。有料チャンネルが割り当てられたＩＣカードを使用する必要はないため、割当制御部２２は、契約管理テーブル２３を参照して、複数のＩＣカード２−１〜２−ｎのうちの有料契約ＩＣカード群２−１、２−３、…、２−（ｎ−１）以外のＩＣカード２−２、２−４、…、２−ｎが使用可能であるか否かを調べる（ステップＳ７）。
ここで、契約管理テーブル２３には、ＩＣカード２−２、２−４、…、２−ｎをそれぞれ識別する個別番号２−２’、２−４’、…、２−ｎ’に対応付けて使用中チャンネル情報が格納されている。この場合、ＩＣカード２−２、２−４、…、２−ｎが使用可能ではない（ステップＳ７−ＮＯ）。割当制御部２２は、契約管理テーブル２３を参照して、有料契約ＩＣカード群２−１、２−３、…、２−（ｎ−１）が使用可能であるか否かを調べる（ステップＳ８）。
【００７１】
例えば、複数のＩＣカード２−１〜２−ｎが使用中である場合、契約管理テーブル２３には、個別番号２−１’〜２−ｎ’に対応付けて使用中チャンネル情報が格納されている（ステップＳ８−ＮＯ）。この場合、割当制御部２２は、視聴又は録画を行なうことができない旨を表す情報を映像表示装置３３に表示して、利用者に通知する（ステップＳ９；不可処理）。
【００７２】
例えば、契約管理テーブル２３には、ＩＣカード２−１を識別する個別番号２−１’に対応付けて使用中チャンネル情報が格納されていない。この場合、ＩＣカード２−１が使用可能である（ステップＳ８−ＹＥＳ）。この場合、割当制御部２２は、個別番号２−１’に対応付けて、使用中チャンネル情報として無料チャンネル“ＣＨ４”を契約管理テーブル２３に格納する。割当制御部２２は、識別子１０−１’に対応付けて、使用中受信ユニット情報“使用中”と、個別番号２−１’とを受信ユニット管理テーブル２４に格納する。割当制御部２２は、ＥＰＧと受信ユニット管理テーブル２４と契約管理テーブル２３とを参照して、受信ユニット１０−１、出力装置３０を制御する許可処理（ステップＳ１０）を実行する。
【００７３】
この場合、受信ユニット１０−１のチューナ部１１は、放送波を受信し、受信ユニット１０−１のストリーム処理部１２に出力する。この放送波は、暗号化された無料チャンネル“ＣＨ４”の放送番組“番組Ｃ”と、暗号化された無料チャンネル“ＣＨ４”の放送番組“番組Ｃ”を復号するための無料番組鍵情報を有するＥＣＭと、複数の照合用個別番号を有するＥＭＭとを含んでいる。受信ユニット１０−１のストリーム処理部１２は、上記の放送波に含まれるＥＭＭを読み出し、複数の読取制御部２１−１〜２１−ｎのうちの、受信ユニット１０−１に対応する読取制御部２１−１に出力する。読取制御部２１−１は、上記の放送波に含まれるＥＭＭの複数の照合用個別番号のうちの１つと、ＩＣカード２−１に格納された個別番号２−１’とが一致するか否かを照合する。読取制御部２１−１は、照合結果が一致を表すとき、上記のＥＭＭをＩＣカード２−１に入力することにより、ＩＣカード２−１内の契約情報は書き換えられる。このとき、ＩＣカード２−１に格納された鍵情報が更新される。次に、読取制御部２１−１は、上記の放送波に含まれるＥＣＭの無料番組鍵情報をＩＣカード２−１に入力することにより、ＩＣカード２−１に格納された鍵情報に基づいて生成された番組鍵情報をＩＣカード２−１から読み出し、その番組鍵情報を受信ユニット１０−１の復号部１３に出力する。同時に、受信ユニット１０−１のストリーム処理部１２は、放送波に含まれる暗号化された無料チャンネル“ＣＨ４”の放送番組“番組Ｃ”を受信ユニット１０−１の復号部１３に出力する。受信ユニット１０−１の復号部１３は、その番組鍵情報に従って、放送波に含まれる暗号化された無料チャンネル“ＣＨ４”の放送番組“番組Ｃ”を復号し、受信ユニット１０−１のストリーム処理部１２に出力する。受信ユニット１０−１のストリーム処理部１２は、受信ユニット１０−１の復号部１３により復号された無料チャンネル“ＣＨ４”の放送番組“番組Ｃ”を出力装置３０に出力する。
【００７４】
次に、有料チャンネル“ＣＨ１”の放送番組“番組Ｄ”における放送番組受信処理について説明する。
【００７５】
例えば、利用者は、時刻“１１：３０”よりも前の時刻に、蓄積装置３１に格納されたＥＰＧに対して、有料チャンネル“ＣＨ１”の放送番組“番組Ｄ”の視聴又は録画の予約を行なっている。この有料チャンネル“ＣＨ１”の放送番組“番組Ｄ”は、ＩＣカード２−１が受信ユニット１０−１に使用されている時間帯に開始する。そこで、割当制御部２２は、ＥＰＧと受信ユニット管理テーブル２４とを参照して、受信ユニット１０−１が使用可能であるか否かを調べる（ステップＳ１）。
【００７６】
例えば、複数の受信ユニット１０−１〜１０−ｎが使用中である場合、受信ユニット管理テーブル２４には、複数の受信ユニット１０−１〜１０−ｎを識別する識別子１０−１’〜１０−ｎ’に対応付けて使用中受信ユニット情報“使用中”が格納されている。そこで、割当制御部２２は、蓄積装置３１に格納されたＥＰＧを参照して、放送番組“番組Ｂ”、“番組Ｃ”、“番組Ｄ”の放送時間はそれぞれ“１０：００〜１１：３０”、“１１：００〜１２：００”、“１１：３０〜”であることを認識する。割当制御部２２は、受信ユニット管理テーブル２４を参照して、複数の受信ユニット１０−１〜１０−ｎの中から、例えば時刻“１１：３０”から使用可能な受信ユニットとして受信ユニット１０−２を選択する（ステップＳ１−ＹＥＳ）。
【００７７】
割当制御部２２は、蓄積装置３１に格納されたＥＰＧを参照した結果、放送番組“番組Ｄ”は有料チャンネル“ＣＨ１”の放送番組であることを認識する（ステップＳ２−ＹＥＳ）。このため、割当制御部２２は、契約管理テーブル２３を参照して、有料チャンネル“ＣＨ１”が割り当てられたＩＣカード２−１が使用可能であるか否かを調べる（ステップＳ３）。
ここで、契約管理テーブル２３には、ＩＣカード２−１を識別する個別番号２−１’に対応付けて、使用中チャンネル情報として無料チャンネル“ＣＨ４”が格納されている。この場合、ＩＣカード２−１が使用不可である（ステップＳ３−ＮＯ）。
割当制御部２２は、契約管理テーブル２３を参照して、複数のＩＣカード２−１〜２−ｎのうちの有料契約ＩＣカード群２−１、２−３、…、２−（ｎ−１）以外のＩＣカード２−２、２−４、…、２−ｎが使用可能であるか否かを調べる（ステップＳ４）。
上述のように、放送番組“番組Ｂ”、“番組Ｃ”、“番組Ｄ”の放送時間はそれぞれ“１０：００〜１１：３０”、“１１：００〜１２：００”、“１１：３０〜”である。そこで、割当制御部２２は、契約管理テーブル２３を参照して、複数のＩＣカード２−１〜２−ｎの中から、使用可能なＩＣカードとして例えばＩＣカード２−２、２−４、２−６を選択する（ステップＳ４−ＹＥＳ）。割当制御部２２は、ＥＰＧと契約管理テーブル２３とを参照して、ＩＣカード２−２、２−４、２−６の中から、例えば時刻“１１：３０”から使用可能なＩＣカードとしてＩＣカード２−２を選択する（ステップＳ５−ＹＥＳ）。
ここで、使用可能なＩＣカードが存在しない場合、上記の不可処理（ステップＳ９）が実行される。
【００７８】
割当制御部２２は、ＩＣカード２−２を選択した場合、委譲処理（ステップＳ６）を実行する。
割当制御部２２は、ＩＣカード２−１を識別する個別番号２−１’に対応付けて、使用中チャンネル情報として有料チャンネル“ＣＨ１”を契約管理テーブル２３に格納する。
割当制御部２２は、ＩＣカード２−２を識別する個別番号２−２’に対応付けて、使用中チャンネル情報として無料チャンネル“ＣＨ４”を契約管理テーブル２３に格納する。
割当制御部２２は、受信ユニット１０−１を識別する識別子１０−１’と、使用中受信ユニット情報“使用中”とに対応付けて、個別番号２−２’を受信ユニット管理テーブル２４に格納する。
割当制御部２２は、受信ユニット１０−２を識別する識別子１０−２’に対応付けて、使用中受信ユニット情報“使用中”と、個別番号２−１’とを受信ユニット管理テーブル２４に格納する。
割当制御部２２は、ＥＰＧと受信ユニット管理テーブル２４と契約管理テーブル２３とを参照して、受信ユニット１０−１、１０−２、出力装置３０を制御する許可処理（ステップＳ１０）を実行する。
【００７９】
この場合、受信ユニット１０−１のチューナ部１１は、放送波を受信し、受信ユニット１０−１のストリーム処理部１２に出力する。この放送波は、暗号化された無料チャンネル“ＣＨ４”の放送番組“番組Ｃ”と、暗号化された無料チャンネル“ＣＨ４”の放送番組“番組Ｃ”を復号するための無料番組鍵情報を有するＥＣＭと、複数の照合用個別番号を有するＥＭＭとを含んでいる。受信ユニット１０−１のストリーム処理部１２は、上記の放送波に含まれるＥＣＭとＥＭＭとを読み出し、複数の読取制御部２１−１〜２１−ｎのうちの、受信ユニット１０−１に対応する読取制御部２１−１に出力する。読取制御部２１−１は、上記の放送波に含まれるＥＭＭの複数の照合用個別番号のうちの１つと、ＩＣカード２−２に格納された個別番号２−２’とが一致するか否かを照合する。読取制御部２１−２は、照合結果が一致を表すとき、上記のＥＭＭをＩＣカード２−２に入力することにより、ＩＣカード２−２内の契約情報は書き換えられる。このとき、ＩＣカード２−２に格納された鍵情報が更新される。次に、読取制御部２１−２は、上記の放送波に含まれるＥＣＭの無料番組鍵情報をＩＣカード２−２に入力することにより、ＩＣカード２−２に格納された鍵情報に基づいて生成された番組鍵情報をＩＣカード２−２から読み出し、その番組鍵情報を受信ユニット１０−１の復号部１３に出力する。同時に、受信ユニット１０−１のストリーム処理部１２は、放送波に含まれる暗号化された無料チャンネル“ＣＨ４”の放送番組“番組Ｃ”を受信ユニット１０−１の復号部１３に出力する。受信ユニット１０−１の復号部１３は、その番組鍵情報に従って、放送波に含まれる暗号化された無料チャンネル“ＣＨ４”の放送番組“番組Ｃ”を復号し、受信ユニット１０−１のストリーム処理部１２に出力する。受信ユニット１０−１のストリーム処理部１２は、受信ユニット１０−２の復号部１３により復号された無料チャンネル“ＣＨ４”の放送番組“番組Ｃ”を出力装置３０に出力する。
【００８０】
同時に、受信ユニット１０−２のチューナ部１１は、放送波を受信し、受信ユニット１０−２のストリーム処理部１２に出力する。この放送波は、暗号化された有料チャンネル“ＣＨ１”の放送番組“番組Ｄ”と、暗号化された有料チャンネル“ＣＨ１”の放送番組“番組Ｄ”を復号するための有料番組鍵情報を有するＥＣＭと、複数の照合用個別番号を有するＥＭＭとを含んでいる。受信ユニット１０−２のストリーム処理部１２は、上記の放送波に含まれるＥＣＭとＥＭＭとを読み出し、読取制御部２１−２に出力する。読取制御部２１−２は、上記の放送波に含まれるＥＭＭの複数の照合用個別番号のうちの１つと、ＩＣカード２−１に格納された個別番号２−１’とが一致するか否かを照合する。読取制御部２１−２は、照合結果が一致を表すとき、上記のＥＭＭをＩＣカード２−１に入力することにより、ＩＣカード２−１内の契約情報は書き換えられる。このとき、ＩＣカード２−１に格納された鍵情報が更新される。次に、読取制御部２１−２は、上記の放送波に含まれるＥＣＭの有料番組鍵情報をＩＣカード２−２に入力することにより、ＩＣカード２−２に格納された鍵情報に基づいて生成された番組鍵情報をＩＣカード２−１から読み出し、その番組鍵情報を受信ユニット１０−２の復号部１３に出力する。同時に、受信ユニット１０−２のストリーム処理部１２は、放送波に含まれる暗号化された有料チャンネル“ＣＨ１”の放送番組“番組Ｄ”を受信ユニット１０−２の復号部１３に出力する。受信ユニット１０−２の復号部１３は、その番組鍵情報に従って、放送波に含まれる暗号化された有料チャンネル“ＣＨ１”の放送番組“番組Ｄ”を復号し、受信ユニット１０−２のストリーム処理部１２に出力する。受信ユニット１０−２のストリーム処理部１２は、受信ユニット１０−２の復号部１３により復号された有料チャンネル“ＣＨ１”の放送番組“番組Ｄ”を出力装置３０に出力する。
【００８１】
許可処理（ステップＳ１０）において、無料チャンネル“ＣＨ４”の放送番組“番組Ｃ”の視聴が行なわれ、有料チャンネル“ＣＨ１”の放送番組“番組Ａ”の録画が行なわれる場合、割当制御部２２は、視聴を表す視聴指示を受信ユニット１０−２のストリーム処理部１２に出力し、録画を表す蓄積指示を受信ユニット１０−１のストリーム処理部１２に出力する。
この場合、受信ユニット１０−２のストリーム処理部１２は、視聴指示に応じて、上記の放送番組“番組Ｃ”を出力装置３０のデコード部３２に出力する。デコード部３２は、その放送番組“番組Ｃ”をデコードして、映像表示装置３３に表示する。
受信ユニット１０−１のストリーム処理部１２は、蓄積指示に応じて、上記の放送番組“番組Ａ”を出力装置３０の蓄積装置３１に蓄積する。
【００８２】
許可処理（ステップＳ１０）において、有料チャンネル“ＣＨ１”の放送番組“番組Ａ”の視聴が行なわれ、無料チャンネル“ＣＨ４”の放送番組“番組Ｃ”の録画が行なわれる場合、割当制御部２２は、視聴を表す視聴指示を受信ユニット１０−１のストリーム処理部１２に出力し、録画を表す蓄積指示を受信ユニット１０−２のストリーム処理部１２に出力する。
この場合、受信ユニット１０−１のストリーム処理部１２は、視聴指示に応じて、上記の放送番組“番組Ａ”を出力装置３０のデコード部３２に出力する。デコード部３２は、その放送番組“番組Ａ”をデコードして、映像表示装置３３に表示する。
受信ユニット１０−２のストリーム処理部１２は、蓄積指示に応じて、上記の放送番組“番組Ｃ”を出力装置３０の蓄積装置３１に蓄積する。
【００８３】
許可処理（ステップＳ１０）において、有料チャンネル“ＣＨ１”の放送番組“番組Ａ”の録画が行なわれ、無料チャンネル“ＣＨ４”の放送番組“番組Ｃ”の録画が行なわれる場合、割当制御部２２は、録画を表す第１蓄積指示、第２蓄積指示をそれぞれ受信ユニット１０−１のストリーム処理部１２、受信ユニット１０−２のストリーム処理部１２に出力する。
この場合、受信ユニット１０−１のストリーム処理部１２は、第１蓄積指示に応じて、上記の放送番組“番組Ａ”を出力装置３０の蓄積装置３１に蓄積する。
受信ユニット１０−２のストリーム処理部１２は、第２蓄積指示に応じて、上記の放送番組“番組Ｃ”を出力装置３０の蓄積装置３１に蓄積する。
【００８４】
これにより、本発明のデジタル放送受信機１は、複数のチャンネルとして無料チャンネル“ＣＨ４”、有料チャンネル“ＣＨ１”の放送番組の視聴／録画と、その複数のチャンネルの放送番組をそれぞれ受信するときの複数の放送番組受信処理の同時実行とを可能にする。
更に、本発明のデジタル放送受信機１は、利用者が所望の番組を視聴又は録画することができる。特に、利用者が、有料チャンネル“ＣＨ１”が割り当てられたＩＣカード２−１と、受信ユニット１０−１とを使用して、無料チャンネル“ＣＨ４”の放送番組“番組Ｃ”を視聴／録画している時間帯に、有料チャンネル“ＣＨ１”の放送番組“番組Ｄ”が開始する場合、割当制御部２２は、使用可能なＩＣカード（上記ではＩＣカード２−２）を受信ユニット１０−１に対応付け、使用可能な受信ユニット（上記では受信ユニット１０−２）にＩＣカード２−１を対応付ける。このため、利用者は、同じ時間帯に、ＩＣカード２−１と受信ユニット１０−２とを使用して、有料チャンネル“ＣＨ１”の放送番組“番組Ｄ”を視聴／録画することができ、ＩＣカード２−２と受信ユニット１０−１とを使用して、無料チャンネル“ＣＨ４”の放送番組“番組Ｃ”を視聴／録画することができる。
【００８５】
以上の説明により、本発明の第１実施形態によるデジタル放送受信機１は、複数のチャンネルの放送番組の視聴／録画と、その複数のチャンネルの放送番組をそれぞれ受信するときの複数の放送番組受信処理の同時実行とを可能にし、利用者が所望の番組を視聴又は録画することができる。
【００８６】
（第２実施形態）
本発明の第２実施形態によるデジタル放送受信機では、第１実施形態と異なる点のみ説明する。
図８は、本発明の第２実施形態によるデジタル放送受信機１が適用されるテレビの構成を示している。第２実施形態によるデジタル放送受信機１は、第１実施形態のそれに対して、更に、複数のチューナボード３−１〜３−ｎを具備している。複数のチューナボード３−１〜３−ｎは、デジタル放送受信機１に対して取り外し可能である。複数のチューナボード３−１〜３−ｎは、それぞれ、上記の受信ユニット１０−１〜１０−ｎと、上記の複数のＩＣカード２−１〜２−ｎとが搭載されている。複数のＩＣカード２−１〜２−ｎは、それぞれ、複数のチューナボード３−１〜３−ｎに対して取り外し可能である。
【００８７】
以上の説明により、本発明の第２実施形態によるデジタル放送受信機１は、第１実施形態の効果に加えて、利用者がデジタル放送受信機１に複数のチューナボード３−１〜３−ｎを取り付けることにより、それぞれ受信ユニット１０−１〜１０−ｎ、複数のＩＣカード２−１〜２−ｎをデジタル放送受信機１に増設することができる。
【００８８】
（第３実施形態）
本発明の第３実施形態によるデジタル放送受信機では、第２実施形態と異なる点のみ説明する。
第３実施形態によるデジタル放送受信機１では、複数のチューナボード３−１〜３−ｎは、それぞれ、上記の複数の読取制御部２１−１〜２１−ｎと、上記の受信ユニット１０−１〜１０−ｎと、上記の複数のＩＣカード２−１〜２−ｎとが搭載されている。
【００８９】
以上の説明により、本発明の第３実施形態によるデジタル放送受信機１は、第１実施形態、第２実施形態の効果に加えて、利用者がデジタル放送受信機１に複数のチューナボード３−１〜３−ｎを取り付けることにより、それぞれ複数の読取制御部２１−１〜２１−ｎ、受信ユニット１０−１〜１０−ｎ、複数のＩＣカード２−１〜２−ｎをデジタル放送受信機１に増設することができる。
【図面の簡単な説明】
【００９０】
【図１】図１は、一般的なデジタル放送受信機１０１が適用されるテレビの構成を示している。
【図２】図２は、本発明のデジタル放送受信機１が適用されるテレビの構成を示している。（第１実施形態）
【図３】図３は、本発明を適用するときの注意点を説明するための図である。（第１実施形態〜第３実施形態）
【図４】図４は、本発明のデジタル放送受信機１の動作を説明するための図である。（第１実施形態〜第３実施形態）
【図５】図５は、本発明のデジタル放送受信機１のＩＣカード管理テーブル２３を示している。（第１実施形態〜第３実施形態）
【図６】図６は、本発明のデジタル放送受信機１の受信ユニット管理テーブル２４を示している。（第１実施形態〜第３実施形態）
【図７】図７は、本発明のデジタル放送受信機１の動作（放送番組受信処理）を示すフローチャートである。（第１実施形態〜第３実施形態）
【図８】図８は、本発明のデジタル放送受信機１が適用されるテレビの構成を示している。（第２実施形態、第３実施形態）
【符号の説明】
【００９１】
１    デジタル放送受信機
２−１〜２−Ｎ    契約管理部（ＩＣカード）
２−１’〜２−Ｎ’    個別番号
３−１〜３−Ｎ    ボード（チューナボード）
１０−１〜１０−Ｎ    受信ユニット
１０−１’〜１０−Ｎ’    識別子
１１    受信部（チューナ部）
１２    ストリーム処理部
１３    復号部
２０    制御部
２１−１〜２１−Ｎ    読取制御部
２２    割当制御部
２３    契約管理テーブル（ＩＣカード管理テーブル）
２４    受信ユニット管理テーブル
３０    出力装置
３１    蓄積装置
３２    デコード部
３３    映像表示装置
１０１    デジタル放送受信機
１０２    ＩＣカード
１０２’    個別番号
１１０    受信ユニット
１１１    チューナ部
１１２    ストリーム処理部
１１３    復号部
１２０    制御部
１３０    出力装置
１３１    蓄積装置
１３２    デコード部
１３３    映像表示装置
【図１】
2007266909.tif 000003
【図２】
2007266909.tif 000004
【図３】
2007266909.tif 000005
【図４】
2007266909.tif 000006
【図５】
2007266909.tif 000007
【図６】
2007266909.tif 000008
【図７】
2007266909.tif 000009
【図８】
2007266909.tif 000010